(57)【要約】      （修正有）【課題】カプチーノやコーヒーに、より精密および／または精巧な装飾を容易に施すことができるミルク用のジャグを提供する。【解決手段】ジャグは、容器本体２と容器本体上に設けられた口６とを備え、容器本体は、容器本体が展開する中心となる主軸Ｘを有し、口６は、主軸Ｘを中心とする所与の角度位置に配置され、容器本体に含まれる液体（ミルク）を注ぐための流出部を画定する。またジャグは、口６に対して、主軸Ｘを中心とする異なる角度位置に設けられ、かつ、より小さい流出部を画定する追加の口８を備える。【選択図】図２
0003222685.tif 000002
【実用新案登録請求の範囲】
【請求項１】
ジャグであって、
容器本体と、
前記容器本体に設けられた第１の口と
を備え、
前記容器本体は、前記容器本体が展開する中心となる主軸を有し、
前記第１の口は、前記主軸を中心とする所与の角度位置に配置され、
前記第１の口は、前記容器本体に含まれることになる液体を注ぐための流出部を画定し、
前記ジャグは、前記第１の口に対して、前記主軸を中心とする異なる角度位置に設けられ、かつ、より小さい流出部を画定する第２の口
を備える、
ジャグ。
【請求項２】
前記第１の口および前記第２の口は、前記主軸を中心として互いに３０°以上の角距離で配置されている、
請求項１に記載のジャグ。
【請求項３】
前記第１の口および前記第２の口は、
前記主軸を中心とする約９０°の角距離という配置、
前記主軸を中心とする４０°から７０°の間の角距離という配置、および、
前記主軸を中心とする約１８０°の角距離という配置
のうちの１つに従って互いに配置されている、
請求項１または２に記載のジャグ。
【請求項４】
前記第２の口の前記流出部は、前記第１の口の前記流出部の８０％以下、好ましくは６０％以下である、
請求項１から３のいずれか一項に記載のジャグ。
【請求項５】
前記第１の口および前記第２の口は各々、丸みを帯びた底部があるＶ字形輪郭を有し、
前記第２の口が画定するＶ字形輪郭は、前記第１の口に対して、前記Ｖ字形輪郭の前記丸みを帯びた底部の、幅、深さおよび曲率半径がより小さい、
請求項１から４のいずれか一項に記載のジャグ。
【請求項６】
前記第１の口および前記第２の口は、前記容器本体の口部リムに設けられ、前記口部リムがたどる理想的な輪郭に対してずれている連続した前記口部リムを構成するそれぞれの頂縁部を各々有する、
請求項１から５のいずれか一項に記載のジャグ。
【請求項７】
前記容器本体に固定された取っ手、またはそうでなければ、
前記容器本体の周りに巻き付けられた、絶縁材料からできているバンド
を備える、請求項１から６のいずれか一項に記載のジャグ。
【考案の詳細な説明】
【技術分野】
【０００１】
本考案は、ジャグ、特に、ミルクを用意するためのジャグに関する。  知られているように、ミルクジャグは、少量のミルクが入ったカプチーノまたはコーヒーを用意するために、すなわち、蒸気の噴射のジャグへの注入を介してミルクを加熱し泡立てて、この飲料の最上層を形成するように次にミルクと共にマグまたはカップに注がれるクリームまたは泡を表面に得るために用いられ得る。
【０００２】
専門的な現場、例えばコーヒーバーでは、任意の種類の装飾パターンを作るために色のコントラストを活用するようにコーヒーを泡に「振り掛ける」ことにより、泡の層上に装飾が提供されることが非常に多い。
【０００３】
これに関連して、本明細書において説明されるジャグは、以下に説明される特性のおかげで上述の用意を容易にでき、さらに、より精密および／または精巧な装飾を施す可能性をユーザに提供する。特に、本明細書において説明されるジャグは、請求項１に記載の特徴により特徴付けられる。
【０００４】
当該請求項において言及される特性は、本明細書において提供される技術的な教示の不可欠な部分を形成する。
【図面の簡単な説明】
【０００５】
本考案のさらなる特性および利点が、添付図面を参照して以下の説明から明らかになろう。図面は、単に非限定的な例として提供される。
【図１】本明細書において説明されるジャグの実施形態の不等角投影図を示す。
【図２】図１のジャグの平面図を示す。
【図３】本明細書において説明されるジャグのさらなる実施形態の平面図である。
【図４】本明細書において説明されるジャグのさらなる実施形態の平面図である。
【図５】本明細書において説明されるジャグのさらなる実施形態の平面図である。
【図６】本明細書において説明されるジャグのさらなる実施形態の平面図である。
【考案を実施するための形態】
【０００６】
以下の説明において、実施形態についての深い理解を提供することを目的として、様々な具体的な詳細が示される。これらの実施形態は、具体的な詳細のうちの１または複数がなくても実現され得るか、または、他の方法、構成要素または材料等で実現され得る。他の事例において、既知の構造、材料または操作は、実施形態の様々な態様が不明瞭にならないように、詳細に示されも説明されもしない。
【０００７】
本明細書において用いられる参照は、便宜のみのために提供されており、故に、保護範囲または実施形態の範囲を定めるものではない。
【０００８】
図面を参照すると、本明細書において説明されるジャグは、既知の一態様において、容器本体２と、場合によっては、取っ手４とを備える。いくつかの実施形態において、取っ手４は、本体２の周りに巻き付けられた絶縁材料からできているバンドで置き換えられ得る。
【０００９】
本明細書において説明されるジャグは、第１の口６および第２の口８を有することを特徴とする。第１の口６および第２の口８は、異なる寸法のそれぞれの流出部を画定する本体２の主軸Ｘを中心とする異なる位置に設けられている。図１および図２に示される例を参照すると、口８は、詳細に後述されるように、口６のものより小さい流出部を画定している。
【００１０】
概して、本明細書において説明されるジャグのこれら２つの口は意図的に、少量のミルクが入ったカプチーノまたはコーヒーの用意中の２つの異なる操作の実行用に構成されている。すなわち、大きい方の口は、ホットミルクと泡の第１の部分とを注ぐために用いられ、一方で、小さい方の口は、泡の第２の部分で装飾を施すために用いられる。
【００１１】
容器本体２の主軸Ｘを中心とする、２つの口の間の角距離は、液体が他方の口も通じて出ることなく、選択的に２つの口のうちの１つだけを通じて液体を注ぐことを、それに応じて容器本体２を傾けることにより可能にするなどのものでなければならない。
【００１２】
様々な好ましい実施形態において、示されるものでのように、２つの口６および８は、互いに３０°以上の角距離で配置される。図において、この角距離は、基準θにより示される。
【００１３】
他方、２つの口の相対的な角度位置は、以下に記載されるように、ユーザの好みに従って選択され得る。
【００１４】
ここで図面を参照すると、容器本体２は、アルミニウム、ステンレス鋼等などの金属材料からできていることが好ましく、金属板から開始して得られる。金属板は、適切に切断され、所望の形状を得るために図面の操作の対象となる。
【００１５】
特に、参照番号２２により示される容器本体２の側壁は、その少なくとも一部分について、容器の口部リム２'の方向において減るという展開に従って、本体の主軸Ｘに沿って可変の断面を有する内部体積を画定するように形づくられる。
【００１６】
壁２２の上記形状には、２つの機能がある。一方では、上記形状は、ジャグに含まれる液体の加熱を促進する。他方では、ミルクの泡立て操作に特に関連して、上記形状は、この操作中に想定されている蒸気の噴射の結果として、ミルクをクリームまたは泡に変換するプロセスを促進するよう設計された、ミルクの旋回運動をもたらす。
【００１７】
様々な好ましい実施形態において、示されるものでのように、２つの口６および８は、容器本体２の口部リム２'に設けられる。特に、２つの口６および８は、口部リム２'の輪郭から径方向に突出して、中心軸Ｘに沿って延在する、延伸を制限するための凹状壁により構成される。
【００１８】
少なくとも大きい方の口６については、Ｘ軸に沿った延在は、あらゆる事例において本体２の高さ全体の３分の１に達し得、いくつかの事例においては本体２の高さ全体の３分の１を超え得る。
【００１９】
平面視（図２を参照のこと）で、上記壁は、容器本体２の中央に面する丸みを帯びた底部があるＶ字形輪郭を画定する。
【００２０】
様々な好ましい実施形態において、示されるものでのように、当該壁は、上記輪郭の寸法、つまり、深さ（径方向におけるもの）および幅が、ジャグの底部から口部リム２'への方向において増すように形づくられる。頂部では、上記壁は各々、口６については参照番号６'により、口８については参照番号８'により示される、それぞれの口の反対の側端で口部リム２'に継ぎ目なく接合する縁部を画定する。この縁部により、口の流出部が識別される。
【００２１】
上述のように、口８の流出部は、口６より小さい。好ましくは、口６は、従来のジャグの口と同じ寸法を有する。図２を参照すると、上記口の縁部６'に対して、口８の縁部８'は、輪郭の底部の、より小さい最大幅Ｌ、深さＰおよび曲率半径Ｒを有するＶ字形輪郭を画定している。様々な好ましい実施形態において、示されるものでのように、口８の流出部は、口６の流出部の８０％以下であり、さらにより好ましくは６０％以下である。
【００２２】
上述のように、口８は意図的に、クリームまたは泡の最後の装飾を施すために設けられる。実際には、口８は、概してより小さく、上述の形状を示すので、ユーザが、注がれるミルクの流れを制御するのが容易になり、故に、ユーザは、想定される装飾パターンをより精密かつ正確に画定することが可能になる。
【００２３】
口６の使用から口８の使用へ移るために、ユーザは基本的には、ジャグの握り方を一切変える必要なく手首の動きを実行しなければならないことに留意すべきである。この動きは明らかに、２つの口６および８の間の相対位置に依存する。
【００２４】
有利なことに、ユーザお様々な好みを満たすべく、２つの口６および８の相対位置に関して、場合によっては取っ手４と上記口との間の相対位置に関しても、互いに異なるジャグのモデルを想定することが可能である。
【００２５】
これに関連して、図２の実施形態において、口６および８は、互いに約５０°の角距離だけ離れて配置される。さらに、取っ手４の５つの可能な位置（それらのうちのいくつかは、破線で表される）が図２に示される。描写をより明確にするために、ジャグの画像は、描写ａ）およびｂ）で２回再現されている。この図を参照すると、口６の使用から口８の使用へ移るためにユーザが行わなければならない動きの種類に取っ手４の位置自体がどのように影響を及ぼすかが明らかになる。
【００２６】
図３は、この図に示される基準線Ｙに対して、様々な要素が、図２の配置の厳密に鏡面である態様で配置されているジャグの形態を示す。
【００２７】
図４は、代わりに、２つの口６および８が９０°の角距離だけ離れているジャグのモデルを示す。この図においても、２つつの口６および８に対する、取っ手４の異なる可能な位置が表される。
【００２８】
図５に示されるジャグのモデルは、２つの口６および８の配置が逆になっていることだけが図４のものとは異なる。
【００２９】
最後に、図６は、２つの口６および８が１８０°に角距離だけ離れているジャグのモデルを示す。この図で表されているのは、取っ手４の２つの可能な代替的な位置である。
【００３０】
２つの口６および８は、上述の図面の操作の後の成形処理を通じて、またはそうでなければ、容器本体２に溶接される、これが適切に用意された後に適切に成形された部分の追加を介して、容器本体２から直接始まるように設けられ得る。
【００３１】
取っ手４も、金属材料からできていることが好ましい。例えば、金属材料は、まず適切に切断され、次に所望の形状へと曲げられた１つの金属板から始まるように得られ得る。取っ手４は、溶接を介して、またはそうでなければ、例えばねじ等の固定部材の使用を通じて、本体２に連結され得る。
【００３２】
もちろん、本考案の原理を損なうことなく、構成の詳細と実施形態とは、本明細書において単に非限定的な例として示されたものに関して、さらに顕著に異なり得るが、それによって、添付の請求項により定義される本考案の範囲から逸脱することはない。
【図１】
0003222685.tif 000003
【図２】
0003222685.tif 000004
【図３】
0003222685.tif 000005
【図４】
0003222685.tif 000006
【図５】
0003222685.tif 000007
【図６】
0003222685.tif 000008